(57)【要約】【課題】心臓壁の状態を直感的かつ正確に把握することができる心臓壁表示装置を提供する。【解決手段】心臓壁表示装置１において、画像を表示する表示部４と、グード図法に基づいて心臓壁を二次元に展開し、心臓壁の展開図を求め、求めた展開図に対して心臓壁の冠動脈を避けて断裂を入れ、心臓壁の二次元画像を形成する手段と、形成した二次元画像を表示部４に表示させる手段とを備える。【選択図】図１
2008167802.tif 000002
【特許請求の範囲】
【請求項１】
画像を表示する表示部と、
グード図法に基づいて心臓壁を二次元に展開し、前記心臓壁の展開図を求め、求めた前記展開図に対して前記心臓壁の冠動脈を避けて断裂を入れ、前記心臓壁の二次元画像を形成する手段と、
形成した前記二次元画像を前記表示部に表示させる手段と、
を備えることを特徴とする心臓壁表示装置。
【請求項２】
前記形成する手段は、断裂を入れた前記展開図に対して前記冠動脈をマッピングし、前記二次元画像を形成することを特徴とする請求項１記載の心臓壁表示装置。
【請求項３】
前記形成する手段は、前記心臓壁の壁厚を求め、断裂を入れた前記展開図に対して、求めた前記壁厚をマッピングし、前記二次元画像を形成することを特徴とする請求項１又は２記載の心臓壁表示装置。
【請求項４】
前記形成する手段は、前記心臓壁の運動量を求め、断裂を入れた前記展開図に対して、求めた前記運動量をマッピングし、前記二次元画像を形成することを特徴とする請求項１、２又は３記載の心臓壁表示装置。
【請求項５】
前記形成する手段は、前記冠動脈の血流量を求め、断裂を入れた前記展開図に対して、求めた前記血流量をマッピングし、前記二次元画像を形成することを特徴とする請求項１、２、３又は４記載の心臓壁表示装置。
【請求項６】
前記表示させる手段は、形成した前記二次元画像を時系列に並べて前記表示部に連続表示させることを特徴とする請求項１乃至５のいずれか一に記載の心臓壁表示装置。
【発明の詳細な説明】
【技術分野】
【０００１】
本発明は、心臓壁の二次元画像を表示する心臓壁表示装置に関する。
【背景技術】
【０００２】
心臓壁表示装置は、Ｘ線断層撮影装置（ＣＴ）や磁気共鳴撮影装置（ＭＲＩ）等の画像再構成処理により得られるボリュームデータに基づいて、心臓壁を二次元又は三次元で表示する装置である。二次元表示を行う心臓壁表示装置においては、心臓壁を表示する表示方法として、例えば、ブルズアイ表示等が用いられる。また、心臓壁の表面全体の様子を一目で把握するため、心臓壁を平面画像として展開して表示する方法も提案されている（例えば、特許文献１参照）。
【特許文献１】特開平１１−１６１８２０号公報
【発明の開示】
【発明が解決しようとする課題】
【０００３】
しかしながら、前述のブルズアイ表示を行う心臓壁表示装置では、心臓壁の表面全体の様子を俯瞰することができず、心臓壁の状態を直感的に把握することは困難である。さらに、前述の展開表示を行う心臓壁表示装置でも、平面画像に歪みが生じており、心臓壁の表面全体の様子や心臓壁上での目標箇所の位置等を正確に把握することができないため、心臓壁の状態を直感的かつ正確に把握することは困難である。
【０００４】
本発明は、上記に鑑みてなされたものであり、心臓壁の状態を直感的かつ正確に把握することができる心臓壁表示装置を提供することである。
【課題を解決するための手段】
【０００５】
本発明の実施の形態に係る特徴は、心臓壁表示装置において、画像を表示する表示部と、グード図法に基づいて心臓壁を二次元に展開し、心臓壁の展開図を求め、求めた展開図に対して心臓壁の冠動脈を避けて断裂を入れ、心臓壁の二次元画像を形成する手段と、形成した二次元画像を表示部に表示させる手段とを備えることである。
【発明の効果】
【０００６】
本発明によれば、心臓壁の状態を直感的かつ正確に把握することができる。
【発明を実施するための最良の形態】
【０００７】
（第１の実施の形態）
本発明の第１の実施の形態について図１乃至図５を参照して説明する。
【０００８】
図１に示すように、本発明の第１の実施の形態に係る心臓壁表示装置１は、各部を集中的に制御するＣＰＵ（Central Processing Unit）等の制御部２と、ＲＯＭ（Read Only Memory）やＲＡＭ（Random Access Memory）等のメモリ３と、画像を表示する表示部４と、操作者からの入力操作を受け付ける操作部５と、各種プログラムや各種データ等を記憶する記憶部６と、外部装置との通信を行う通信部７と、画像を処理する画像処理部８とを備えている。これらの各部は、バス９により電気的に接続されている。
【０００９】
制御部２は、記憶部６に記憶された各種プログラムや各種データ等に基づいて、各部を制御する。特に、制御部２は、各種のプログラムやデータ等に基づいて、データの計算又は加工等を行う一連のデータ処理及び画像を表示する画像表示処理等を実行する。
【００１０】
メモリ３は、制御部２が実行する起動プログラム等を記憶するメモリであって、制御部２のワークエリアとしても機能するメモリである。なお、起動プログラムは、心臓壁表示装置１の起動時に制御部２により読み出されて実行される。
【００１１】
表示部４は、二次元画像をカラー表示する表示装置であって、特に、被検体の心臓壁の二次元画像を表示する表示装置である。この表示部４としては、例えば、液晶ディスプレイやＣＲＴ（Cathode Ray Tube）ディスプレイ等を用いる。
【００１２】
操作部５は、操作者により入力操作される入力部であって、画像表示の開始や画像の切り替え等の各種の入力操作を受け付ける入力部である。この操作部５としては、例えば、マウスやキーボード等の入力デバイスを用いる。
【００１３】
記憶部６は、各種のプログラムやデータ等を記憶する記憶装置であって、特に、被検体の各部位に関するボリュームデータＤ１を記憶する記憶装置である。この記憶部６としては、例えば、磁気ディスク装置や半導体ディスク装置（フラッシュメモリ）等を用いる。なお、ボリュームデータＤ１は、Ｘ線断層撮影装置（ＣＴ）や磁気共鳴撮影装置（ＭＲＩ）等の医用画像撮像装置により得られ、通信部７を介して記憶部６に格納される。ここで、被検体の各部位としては、例えば、心臓、肺、胃、骨及び血管等が挙げられる。
【００１４】
通信部７は、ＬＡＮ（Local Area Network）やインターネット等のネットワークを介して外部装置との通信を行う装置である。この通信部７としては、ＬＡＮカードやモデム等を用いる。外部装置としては、ボリュームデータＤ１を格納するデータベースサーバや医用画像撮影装置等が挙げられる。ここで、ボリュームデータＤ１は、一旦データベースサーバに格納された後、データベースサーバから通信部７を介して記憶部６に格納されてもよく、あるいは、医用画像撮影装置から通信部７を介して記憶部６に直接格納されてもよい。
【００１５】
画像処理部８は、図２に示すように、ボリュームデータＤ１から心臓情報、例えば、心臓壁情報及び冠動脈位置情報を抽出する抽出処理部８ａと、抽出した心臓壁情報に基づいてグード図法（ホモロサイン図法）により心臓壁を二次元に展開し、心臓壁の展開図Ｇ１（図３参照）を求める心臓壁展開処理部８ｂと、抽出した冠動脈位置情報に基づいて心臓壁の展開図Ｇ１に対して冠動脈Ｋ（図３参照）をマッピングする冠動脈マッピング処理部８ｃと、心臓壁の展開図Ｇ１に対して冠動脈Ｋを避けて断裂を入れる断裂処理部８ｄとを備えている。
【００１６】
この画像処理部８が、グード図法に基づいて心臓壁の展開図Ｇ１を求め、求めた展開図Ｇ１に冠動脈Ｋをマッピングし、その後、冠動脈Ｋを避けて断裂を入れる。これにより、図４に示すように、グード図法に基づく心臓壁の二次元画像Ｇ２が作成される。なお、画像処理部８は、ハードウェア（回路）又はソフトウェアあるいはそれらの両方により構成されている。
【００１７】
ここで、冠動脈Ｋは心臓を取り囲むように走っており、この冠動脈Ｋとしては、左冠動脈Ｋ１及び右冠動脈Ｋ２がある（図３及び図４参照）。なお、左冠動脈Ｋ１は、主幹部Ｋ１ａと、その主幹部Ｋ１ａから分岐する左前下行枝Ｋ１ｂ及び左回旋枝Ｋ１ｃとにより構成されている。このような冠動脈Ｋは、通常、血液供給の観点から３本、すなわち、左前下行枝Ｋ１ｂ、左回旋枝Ｋ１ｃ及び右冠動脈Ｋ２として扱われる。
【００１８】
心臓壁展開処理部８ｂは、図３に示すように、グード図法に基づいて、心臓壁の表面全体を地球の表面とし、右冠動脈Ｋ２を含む動脈領域Ｒ１、左前下行枝Ｋ１ｂを含む動脈領域Ｒ２及び左回旋枝Ｋ１ｃを含む動脈領域Ｒ３を大陸として扱い、心臓壁を二次元に展開、すなわち、三次元の心臓壁の位置データ（例えば、外壁の位置情報）をグード図法に基づく二次元の心臓壁の位置データに変換してマッピングし、その心臓壁の展開図Ｇ１を作成する。なお、展開図Ｇ１の接合部（接合経度）は、冠動脈Ｋを避けて、例えば上大静脈側に設けられている。
【００１９】
冠動脈マッピング処理部８ｃは、図３に示すように、抽出処理部８ａから送信された冠動脈位置情報に基づいて、心臓壁の展開図Ｇ１に対して冠動脈Ｋをマッピング、例えばテクスチャマッピングする。これにより、右冠動脈Ｋ２が動脈領域Ｒ１にマッピングされ、左前下行枝Ｋ１ｂが動脈領域Ｒ２にマッピングされ、左回旋枝Ｋ１ｃが動脈領域Ｒ３にマッピングされる。なお、冠動脈Ｋの表示色としては、例えば、黒色等を用いる。
【００２０】
断裂処理部８ｄは、図３に示すように、各動脈領域Ｒ１、Ｒ２、Ｒ３以外の領域を海洋部分として扱い、その海洋部分に断裂を入れる。すなわち、断裂処理部８ｄは、左前下行枝Ｋ１ｂ、左回旋枝Ｋ１ｃ及び右冠動脈Ｋ２に基づいて３つの動脈領域Ｒ１、Ｒ２、Ｒ３を把握し、左冠動脈Ｋ１と右冠動脈Ｋ２との間に断裂を入れ、３つの動脈領域Ｒ１、Ｒ２、Ｒ３の各々の間に断裂を入れる。このような断裂は、図３において、例えば、展開図Ｇ１の上辺から展開図Ｇ１の縦方向の中央線（赤道）上まで１本入れられ、展開図Ｇ１の下辺から展開図Ｇ１の縦方向の中央線（赤道）上まで２本入れられる。これにより、心臓壁の展開図Ｇ１の歪みが補正され、図４に示すように、精度が高い二次元画像Ｇ２が作成される。
【００２１】
次に、このような心臓壁表示装置１の画像表示処理について説明する。心臓壁表示装置１の制御部２が、画像処理部８により画像処理を行い、画像処理後の画像を表示する表示処理を実行する。
【００２２】
図５に示すように、制御部２は、外部装置からのボリュームデータＤ１の入力又は操作部５の画像表示開始キーに対する入力操作に応じて、画像処理部８を制御し、ボリュームデータＤ１から心臓情報を抽出する（ステップＳ１）。画像処理部８は、制御部２により制御に応じて、抽出処理部８ａにより、ボリュームデータＤ１から心臓情報、例えば、心臓壁情報及び冠動脈位置情報を抽出し、その後、抽出した心臓壁情報を心臓壁展開処理部８ｂに送信し、抽出した冠動脈位置情報を冠動脈マッピング処理部８ｃに送信する。
【００２３】
次いで、制御部２は、画像処理部８を制御し、グード図法に基づいて心臓壁の二次元画像Ｇ２を作成する（ステップＳ２）。画像処理部８は、制御部２による制御に応じて、心臓壁展開処理部８ｂにより、図３に示すように、グード図法に基づいて心臓壁を二次元に展開し、その心臓壁の展開図Ｇ１を求め、マッピング処理部８ｃにより、求めた展開図Ｇ１に冠動脈Ｋをマッピングし、断裂処理部８ｄにより、マッピングした展開図Ｇ１に対して冠動脈Ｋを避けて断裂を入れる。これにより、図４に示すように、グード図法に基づく心臓壁の二次元画像Ｇ２が作成される。
【００２４】
その後、制御部２は、心臓壁の二次元画像Ｇ２を表示部４に表示させる（ステップＳ３）。これにより、グード図法に基づく心臓壁の二次元画像Ｇ２が表示される（図４参照）。医師等の観察者は、表示部４に表示された心臓壁の二次元画像Ｇ２を観察する。この際、観察者は、心臓壁の表面全体の様子を俯瞰することが可能になり、心臓壁の状態を直感的に把握することができる。さらに、グード図法を用いて作成された心臓壁の二次元画像Ｇ２が表示されることから、画像の歪みが抑えられ、観察者は心臓壁の表面全体の様子や心臓壁上での目標箇所の位置等を正確に把握することが可能になるので、心臓壁の状態を正確に把握することができる。
【００２５】
以上説明したように、本発明の第１の実施の形態によれば、グード図法に基づいて心臓壁を二次元に展開し、心臓壁の展開図Ｇ１を求め、求めた展開図Ｇ１に対して心臓壁の冠動脈Ｋを避けて断裂を入れ、心臓壁の二次元画像Ｇ２を形成し、形成した二次元画像Ｇ２を表示することによって、歪みを抑えた心臓壁の二次元画像Ｇ２が表示され、心臓壁の表面全体の様子を一目で確認することが可能になるので、心臓壁の状態を直感的かつ正確に把握することができる。特に、観察者の経験や熟練度等に依存することなく、心臓壁のどの箇所を観察しているかを判断することが可能になるので、正確な診断を行うことができる。
【００２６】
さらに、断裂を入れた展開図Ｇ１に対して冠動脈Ｋをマッピングすることによって、冠動脈Ｋも心臓壁の表面全体に表示され、心臓壁を囲むように走る冠動脈Ｋを一目で確認することが可能になるので、心臓壁の状態に加え、心臓壁の各所と冠動脈Ｋとの位置関係等を直感的かつ正確に把握することができる。
【００２７】
（第２の実施の形態）
本発明の第２の実施の形態について図６乃至図８を参照して説明する。
【００２８】
本発明の第２の実施の形態では、第１の実施の形態と異なる部分について説明する。なお、第２の実施の形態においては、第１の実施の形態で説明した部分と同じ部分を同一符号で示し、その説明を省略する（他の実施の形態も同様である）。
【００２９】
図６に示すように、画像処理部８は、第１の実施の形態の構成に加え、抽出処理部８ａにより抽出した心臓壁情報に基づいて心臓壁の壁厚を算出する壁厚算出処理部８ｅと、断裂を入れた展開図Ｇ１に対し、算出した壁厚をマッピングする壁厚マッピング処理部８ｆとを備えている。
【００３０】
壁厚算出処理部８ｅは、心臓壁情報、例えば、図７に示すように、心臓壁の外壁Ｈ１の位置情報及び内壁Ｈ２の位置情報に基づいて、外壁Ｈ１と内壁Ｈ２との間の距離である壁厚を算出する。例えば、壁厚算出処理部８ｅは、心臓の中心点Ｃから心臓の外部に向けて直線を伸ばし、その直線が外壁Ｈ１と交わる１点を点Ｎとし、内壁Ｈ２と交わる１点を点Ｎｉとし、中心点Ｃから点Ｎまでの距離（線分ＣＮ）から中心点Ｃから点Ｎｉまでの距離（線分ＣＮｉ）を引くことにより、壁厚（ＣＮ−ＣＮｉ）を算出する。ここで、壁厚は、心臓壁の所定領域毎に所定数、例えば３０点程度算出されたり、あるいは、心臓を輪切りにした場合の輪切り毎に中心（心軸）から所定の角度間隔、例えば１０度程度の角度間隔で算出されたりする。
【００３１】
壁厚マッピング処理部８ｆは、図８に示すように、算出した壁厚に応じてその表示色の濃度（階調）を変え、その壁厚を断裂済の展開図Ｇ１にマッピング、例えばテクスチャマッピングし、心臓壁の二次元画像Ｇ２を形成する。このとき、壁厚の表示色としては、冠動脈Ｋの表示色と異なる色、例えば、複数の階調を有する灰色（モノクロ）等を用いる。なお、壁厚を算出した算出点の間は、例えば、算出点間の距離を用いて線形補間される。
【００３２】
このような画像処理部８により、心臓壁の全体の壁厚を示す二次元画像Ｇ２が作成され、その二次元画像Ｇ２が表示部４に表示される。なお、表示部４には、壁厚用のグレースケール等も一緒に表示される。このグレースケールの最大値やグレースケールの階調等は、操作部５に対する入力操作により変更可能である。
【００３３】
以上説明したように、本発明の第２の実施の形態によれば、第１の実施の形態と同様の効果を得ることができる。さらに、心臓壁の壁厚を求め、断裂を入れた展開図Ｇ１に対して、求めた壁厚をマッピングすることによって、心臓壁の表面全体に壁厚が表示され、心臓壁の壁厚を一目で確認することが可能になるので、心臓壁の状態に加え、心臓壁の各所と壁厚との関係を直感的かつ正確に把握することができる。
【００３４】
（第３の実施の形態）
本発明の第３の実施の形態について図９乃至図１１を参照して説明する。なお、本発明の第２の実施の形態では、第１の実施の形態と異なる部分について説明する。
【００３５】
図９に示すように、画像処理部８は、第１の実施の形態の構成に加え、抽出処理部８ａにより抽出した心臓壁情報に基づいて心臓壁の運動量、すなわち壁運動量を算出する壁運動量算出処理部８ｇと、断裂を入れた展開図Ｇ１に対して、算出した壁運動量をマッピングする壁運動量マッピング処理部８ｈとを備えている。
【００３６】
壁運動量算出処理部８ｇは、心臓壁情報、例えば、図１０に示すように、時系列的に連続する心臓壁の外壁Ｈ１の位置情報に基づいて、外壁Ｈ１の移動量を壁運動量として算出する。例えば、壁運動量算出処理部８ｇは、心臓の中心点Ｃから心臓の外部に向けて直線を伸ばし、その直線が外壁Ｈ１と交わる１点を点Ｎ（ｔ）とし、数秒後に位置が変化した外壁Ｈ１と交わる１点を点Ｎ（ｔ＋１）とし、中心点Ｃから点Ｎ（ｔ）までの距離（線分ＣＮ（ｔ））から中心点Ｃから点Ｎ（ｔ＋１）までの距離（線分ＣＮ（ｔ＋１））を引くことにより、外壁Ｈ１の移動量、すなわち壁運動量（ＣＮ（ｔ）−ＣＮ（ｔ＋１））を算出する。ここで、壁運動量は、心臓壁の所定領域毎に所定数、例えば３０点程度算出されたり、あるいは、心臓を輪切りにした場合の輪切り毎に中心（心軸）から所定の角度間隔、例えば１０度程度の角度間隔で算出されたりする。なお、ここでは、時系列的に連続する外壁Ｈ１の位置情報を用いているが、これに限るものではなく、例えば、時系列的に連続する内壁Ｈ２の位置情報を用いるようにしてもよい。
【００３７】
壁運動量マッピング処理部８ｈは、図１１に示すように、収縮時、膨張時及び停止時に応じて壁運動量の表示色を色分けし、算出した壁運動量に応じて収縮及び膨張毎にその表示色の濃度（階調）を変え、その壁運動量を断裂済の展開図Ｇ１にマッピング、例えばテクスチャマッピングし、心臓壁の二次元画像Ｇ２を形成する。このとき、壁運動量の表示色としては、冠動脈Ｋの表示色と異なる色、例えば、複数の階調を有する紫色、複数の階調を有する青色及び白色等を用いる。ここで、壁運動量がプラスである場合が収縮時であり、例えば紫色（階調有）を用いるマッピングを行い、壁運動量がマイナスである場合が膨張時であり、例えば青色（階調有）を用いるマッピングを行い、壁運動量が０である場合が停止時であり、例えば白色を用いるマッピングを行う。なお、壁運動量を算出した算出点の間は、例えば、算出点間の距離を用いて線形補間される。
【００３８】
このような画像処理部８により、心臓壁の全体の壁運動量を示す二次元画像Ｇ２が作成され、その二次元画像Ｇ２が表示部４に表示される。なお、表示部４には、壁運動量用の単色カラースケール等も膨張及び収縮毎に一緒に表示される。この単色カラースケールの最大値や単色カラースケールの階調等は、操作部５に対する入力操作により変更可能である。
【００３９】
以上説明したように、本発明の第３の実施の形態によれば、第１の実施の形態と同様の効果を得ることができる。さらに、心臓壁の壁運動量を求め、断裂を入れた展開図Ｇ１に対して、求めた壁運動量をマッピングすることによって、心臓壁の表面全体に壁運動量が表示され、心臓壁の壁運動量を一目で確認することが可能になるので、心臓壁の状態に加え、心臓壁の各所と壁運動量との関係を直感的かつ正確に把握することができる。
【００４０】
（第４の実施の形態）
本発明の第４の実施の形態について図１２及び図１３を参照して説明する。なお、本発明の第４の実施の形態では、第１の実施の形態と異なる部分について説明する。
【００４１】
図１２に示すように、画像処理部８は、第１の実施の形態の構成に加え、抽出処理部８ａにより抽出した心臓情報に基づいて冠動脈Ｋの血流量を算出する血流量算出処理部８ｉと、断裂を入れた展開図Ｇ１に対して、算出した血流量をマッピングする血流量マッピング処理部８ｊとを備えている。なお、抽出処理部８ａが抽出する心臓情報には、冠動脈Ｋの血流量情報が含まれている。この血流量情報は、血流量算出処理部８ｉに送信される。
【００４２】
血流量算出処理部８ｉは、心臓壁情報、例えば、冠動脈Ｋの血流量情報に基づいて、冠動脈Ｋの血流量を算出する。この血流量算出処理部８ｉは、冠動脈Ｋの複数箇所に対して血流量の算出を行う。
【００４３】
血流量マッピング処理部８ｊは、図１３に示すように、血流量に応じてその表示色の濃度（階調）を変え、その血流量を断裂済の展開図Ｇ１にマッピング、例えばテクスチャマッピングし、心臓壁の二次元画像Ｇ２を形成する。このとき、血流量の表示色としては、冠動脈Ｋの表示色と異なる色、例えば、複数の階調を有する赤色等を用いる。なお、血流量を算出した算出点の間は、例えば、算出点間の距離を用いて線形補間される。
【００４４】
このような画像処理部８により、冠動脈Ｋの血流量を示す二次元画像Ｇ２が作成され、その二次元画像Ｇ２が表示部４に表示される。なお、表示部４には、血流量用の単色カラースケール等も一緒に表示される。この単色カラースケールの最大値や単色カラースケールの階調等は、操作部５に対する入力操作により変更可能である。
【００４５】
以上説明したように、本発明の第４の実施の形態によれば、第１の実施の形態と同様の効果を得ることができる。さらに、冠動脈Ｋの血流量を求め、断裂を入れた展開図Ｇ１に対して、求めた血流量をマッピングすることによって、心臓壁の表面全体に冠動脈Ｋの血流量が表示され、冠動脈Ｋの血流量を一目で確認することが可能になるので、心臓壁の状態に加え、冠動脈Ｋの血流量を直感的かつ正確に把握することができる。
【００４６】
（第５の実施の形態）
本発明の第５の実施の形態について図１４及び図１５を参照して説明する。なお、本発明の第５の実施の形態では、第１の実施の形態と異なる部分について説明する。
【００４７】
図１４に示すように、画像処理部８は、第１の実施の形態の構成に加え、第２の実施の形態に係る壁厚算出処理部８ｅ及び壁厚マッピング処理部８ｆと、第３の実施の形態に係る壁運動量算出処理部８ｇ及び壁運動量マッピング処理部８ｈと、第４の実施の形態に係る血流量算出処理部８ｉ及び血流量マッピング処理部８ｊとを備えている。この画像処理部８により形成された二次元画像Ｇ２は、順次、記憶部６に記憶される。なお、冠動脈Ｋの表示色、壁厚の表示色、壁運動量の表示色及び冠動脈Ｋの血流量の表示色としては、それぞれ異なる色を用いる。
【００４８】
制御部２は、記憶部６に順次記憶された二次元画像Ｇ２を時系列に並べて表示部４に連続表示させる。これにより、表示部４には、図１５に示すように、心臓壁、冠動脈Ｋ、壁厚、壁運動量及び冠動脈Ｋの血流量を示す二次元画像Ｇ２が時系列で連続して表示される。これにより、心臓壁の動きや、冠動脈Ｋ、壁厚、壁運動量及び冠動脈Ｋの血流量の変化等が表示部４に表示されることになる。なお、心臓壁と冠動脈Ｋの表示（図４参照）、心臓壁と冠動脈Ｋと壁厚の表示（図８参照）、心臓壁と冠動脈Ｋと壁運動量の表示（図１１参照）及び心臓壁と冠動脈Ｋとその血流量の表示（図１３参照）は、操作部５に対する入力操作により切り替え可能に形成されている。
【００４９】
以上説明したように、本発明の第５の実施の形態によれば、第１の実施の形態と同様の効果を得ることができる。さらに、断裂を入れた展開図Ｇ１に対して、心臓壁の壁厚、壁運動量及び冠動脈Ｋの血流量をマッピングすることによって、心臓壁の壁厚、壁運動量及び冠動脈Ｋの血流量が心臓壁の表面全体に表示され、心臓壁の壁厚、壁運動量及び冠動脈Ｋの血流量の全てを一目で確認することが可能になるので、心臓壁の状態に加え、心臓壁の壁厚、壁運動量及び冠動脈Ｋの血流量の全てを一度に直感的かつ正確に把握することができる。
【００５０】
さらに、形成した二次元画像Ｇ２を時系列に並べて表示部４に連続表示させることによって、心臓壁、壁厚、壁運動量及び冠動脈の血流量の時系列的な変化を直感的に把握することが可能になるので、心臓壁の動きや、冠動脈Ｋ、壁厚、壁運動量及び冠動脈Ｋの血流量の変化等を容易に観察することができる。
【００５１】
（他の実施の形態）
なお、本発明は、前述の実施の形態に限るものではなく、その要旨を逸脱しない範囲において種々変更可能である。
【００５２】
例えば、前述の第１乃至第４の実施の形態においては、形成した二次元画像Ｇ２を時系列に並べて表示部４に連続表示させていないが、これに限るものではなく、前述の第５の実施の形態と同じように、形成した二次元画像Ｇ２を時系列に並べて表示部４に連続表示させるようにしてもよい。この場合には、前述の第５の実施の形態と同様の作用効果を得ることができる。
【００５３】
また、前述の第１乃至第４の実施の形態においては、形成した二次元画像Ｇ２を記憶部６に記憶するようにしていないが、これに限るものではなく、前述の第５の実施の形態と同じように、形成した二次元画像Ｇ２を記憶部６に記憶するようにしてもよい。この場合には、制御部８は、外部装置からのボリュームデータＤ１の入力に応じて、画像処理部８を制御して画像処理を行い、順次、記憶部５に二次元画像Ｇ２を記憶しておく。その後、制御部８は、操作部５の画像表示開始キーに対する入力操作に応じて、二次元画像Ｇ２を表示する。
【図面の簡単な説明】
【００５４】
【図１】本発明の第１の実施の形態に係る心臓壁表示装置の概略構成を示すブロック図である。
【図２】図１に示す心臓壁表示装置が備える画像処理部の概略構成を示すブロック図である。
【図３】図２に示す画像処理部が行う画像処理による心臓壁の展開図を示す模式図である。
【図４】図２に示す画像処理部が行う画像処理による心臓壁の二次元画像を示す模式図である。
【図５】図１に示す心臓壁表示装置が行う画像表示処理の流れを示すフローチャートである。
【図６】本発明の第２の実施の形態に係る心臓壁表示装置が備える画像処理部の概略構成を示すブロック図である。
【図７】図６に示す画像処理部が行う画像処理における壁厚の算出を説明するための説明図である。
【図８】図６に示す画像処理部が行う画像処理による心臓壁の二次元画像を示す模式図である。
【図９】本発明の第３の実施の形態に係る心臓壁表示装置が備える画像処理部の概略構成を示すブロック図である。
【図１０】図９に示す画像処理部が行う画像処理における壁運動量の算出を説明するための説明図である。
【図１１】図９に示す画像処理部が行う画像処理による心臓壁の二次元画像を示す模式図である。
【図１２】本発明の第４の実施の形態に係る心臓壁表示装置が備える画像処理部の概略構成を示すブロック図である。
【図１３】図１２に示す画像処理部が行う画像処理による心臓壁の二次元画像を示す模式図である。
【図１４】本発明の第５の実施の形態に係る心臓壁表示装置が備える画像処理部の概略構成を示すブロック図である。
【図１５】図１４に示す画像処理部が行う画像処理による心臓壁の二次元画像を示す模式図である。
【符号の説明】
【００５５】
１      心臓壁表示装置
４      表示部
【図１】
2008167802.tif 000003
【図２】
2008167802.tif 000004
【図５】
2008167802.tif 000005
【図６】
2008167802.tif 000006
【図９】
2008167802.tif 000007
【図１２】
2008167802.tif 000008
【図３】
2008167802.tif 000009
【図４】
2008167802.tif 000010
【図７】
2008167802.tif 000011
【図８】
2008167802.tif 000012
【図１０】
2008167802.tif 000013
【図１１】
2008167802.tif 000014
【図１３】
2008167802.tif 000015
【図１４】
2008167802.tif 000016
【図１５】
2008167802.tif 000017